(57)【要約】【課題】  ローディングモーターやインナースイッチ等を中継基板に接続するためのワイヤーや各基板を取り付けるためのビスを削減することができて部品点数を少なくでき、部品の組み立て・取り扱いを容易に行うことができるＤＶＤ装置を提供する。【解決手段】  モーターやスイッチ等の電気部品を鉄板シャーシや基板等に取り付けるようにしたＤＶＤ装置において、各種フレキシブルフラットケーブル２、３、４が接続される中継基板１に、鉄板シャーシ７に取付固定されたローディングモーター５と、ピックアップの位置がＤＶＤの内周にあることを検出するインナースイッチ６とが取り付けられ、ローディングモーター５は中継基板１に半田付けによって取り付けられており、中継基板１はローディングモーター５に保持されている。【選択図】  図１
2006338761.tif 000002
【特許請求の範囲】
【請求項１】
モーターやスイッチ等の電気部品を鉄板シャーシや基板等に取り付けるようにしたＤＶＤ装置において、各種フレキシブルフラットケーブルが接続される中継基板に、鉄板シャーシに取付固定されたローディングモーターと、ピックアップの位置がＤＶＤの内周にあることを検出するインナースイッチとが取り付けられ、前記ローディングモーターは前記中継基板に半田付けによって取り付けられており、前記中継基板は前記ローディングモーターに保持されていることを特徴とするＤＶＤ装置。
【請求項２】
モーターやスイッチ等の電気部品をシャーシや基板等に取り付けるようにしたＤＶＤ装置において、各種フレキシブルフラットケーブルが接続される中継基板に、シャーシに取付固定されたローディングモーターや各種電気部品が取り付けられ、前記中継基板は前記ローディングモーターに保持されていることを特徴とするＤＶＤ装置。
【発明の詳細な説明】
【技術分野】
【０００１】
本発明は、モーターやスイッチ等の電気部品をシャーシや基板等に取り付けるようにしたＤＶＤ装置に関するものである。
【背景技術】
【０００２】
従来のＤＶＤ装置は、図３に示すように、各種フレキシブルフラットケーブル１０１、１０２、１０３が中継基板１０４に取り付けられ、鉄板シャーシ１０５にローディングモーター１０６が取り付けられ、このローディングモーター１０６は２本のワイヤー１０７で中継基板１０４に接続されている。また、ピックアップ（図示略）の位置がＤＶＤの内周にあることを検出するインナースイッチ１０８が別に設けられた小基板１０９に取り付けられ、このインナースイッチ１０８が２本のワイヤー１１０で中継基板１０４に接続されている。
【０００３】
ところが、この従来のＤＶＤ装置においては、中継基板１０４を取り付けるためのビス１１１と小基板１０９を取り付けるためのビス１１２と複数本のワイヤー１０７、１１０が必要であるために、部品点数が多く、組立作業が複雑になり取付工数が多くなるという問題があった。
【０００４】
第１の従来技術を図４に示す。この従来の磁気テープ装置用デッキは、図４に示すように、ローディングモーター２０１をジョイント印刷回路基板２０２に直付けし、電気的に直接接続するようにしている。（例えば、特許文献１参照）。
【０００５】
ところが、これにおいては、ジョイント印刷回路基板２０２にはローディングモーター２０１が直付けされているだけであり、他のスイッチ類等の電気部品はジョイント印刷基板２０２に取り付けられていないものであった。また、ローディングモーター２０１の位置決めについては何ら考慮されていないものであった。
【０００６】
第２の従来技術を図５に示す。この従来の磁気テープ装置は、図５に示すように、ローディングモーター３０１を印刷回路基板３０２に固定し、その入力端子を直接印刷回路基板３０２の印刷回路に接続するとともに、テープデッキシャーシ回動自在に保持したカム体３０５に取り付けた大歯車３０４をローディングモーター３０１の小歯車３０３と噛合させてカム体３０５が回動するようにしている。（例えば、特許文献２参照）。
【０００７】
ところが、これにおいては、ローディングモーター３０１が印刷回路基板３０２に取り付けているだけであり、他のスイッチ類等の電気部品は印刷回路基板３０２に取り付けられていないものであった。
【特許文献１】特開平６−１６２６３３号公報
【特許文献２】実用新案登録第３０１７２４４号公報
【発明の開示】
【発明が解決しようとする課題】
【０００８】
本発明は、上記従来の問題に鑑みてなされたものであって、ローディングモーターやインナースイッチ等を中継基板に接続するためのワイヤー、各基板を取り付けるためのビスを削減することができて部品点数を少なくでき、部品の組み立て・取り扱いを容易に行うことができるＤＶＤ装置を提供することを目的とする。
【課題を解決するための手段】
【０００９】
本発明は、上記課題を解決するために提案されたものであって、請求項１に記載の発明は、モーターやスイッチ等の電気部品を鉄板シャーシや基板等に取り付けるようにしたＤＶＤ装置において、各種フレキシブルフラットケーブルが接続される中継基板に、鉄板シャーシに取付固定されたローディングモーターと、ピックアップの位置がＤＶＤの内周にあることを検出するインナースイッチとが取り付けられ、前記ローディングモーターは前記中継基板に半田付けによって取り付けられており、前記中継基板は前記ローディングモーターに保持されていることを特徴としている。
【００１０】
請求項２に記載の発明は、モーターやスイッチ等の電気部品をシャーシや基板等に取り付けるようにしたＤＶＤ装置において、各種フレキシブルフラットケーブルが接続される中継基板に、シャーシに取付固定されたローディングモーターや各種電気部品が取り付けられ、前記中継基板は前記ローディングモーターに保持されていることを特徴としている。
【発明の効果】
【００１１】
請求項１に記載の発明によれば、ローディングモーターが中継基板に直接取り付けられているから、従来ローディングモーターと中継基板とを接続していたワイヤーを抹消することができる。また、このローディングモーターは、鉄板シャーシに取り付けられ、このローディングモーターで中継基板が保持されているから、中継基板を取り付けていたビスを抹消することができる。更に、インナースイッチが中継基板に取り付けられているから、従来インナースイッチと中継基板を接続していたワイヤーを抹消することができる。しかも、従来インナースイッチを取り付けていた小基板とこの小基板を取り付けていたビスとを抹消することができる。このように、部品点数を削減することができ、作業工数を少なくすることができて、組み立て・取り扱いを容易に行うことができる。
【００１２】
請求項２に記載の発明によれば、ローディングモーターが中継基板に直接取り付けられているから、従来ローディングモーターと中継基板とを接続していたワイヤーを抹消することができる。また、このローディングモーターは、シャーシに取り付けられ、このローディングモーターで中継基板が保持されているから、中継基板を取り付けていたビスを抹消することができる。更に、各種電気部品を中継基板に直接取り付けているから、各種電気部品と中継基板を接続していたワイヤーを抹消することができる。このように、部品点数を削減することができ、作業工数を少なくすることができて、組み立て・取り扱いを容易に行うことができる。
【発明を実施するための最良の形態】
【００１３】
以下、本発明に係るＤＶＤ装置の実施の形態を、図を参照しつつ説明する。
【００１４】
図１は実施形態のＤＶＤ装置の要部を示し、ローディングモーターとインナースイッチとを中継基板に取り付けた状態を示す部分平面図、図２はローディングモーターを中継基板に取り付ける状態を示す分解斜視図である。
【００１５】
本実施形態のＤＶＤ装置は、図１に示すように、中継基板１に、デジタル基板に接続されるフレキシブルフラットケーブル２と、スピンドルモーターに接続されるフレキシブルフラットケーブル３と、エンコーダ基板に接続されるフレキシブルフラットケーブル４とが接続されている。また、この中継基板１にローディングモーター５が取り付けられると共に、ピックアップの位置がＤＶＤの中間にあることを検出するインナースイッチ６が取り付けられている。このローディングモーター５は、鉄板シャーシ７にビス（図示略）で取付固定されていて、中継基板１はこのローディングモーター５に保持されている。
【００１６】
図２に示すように、ローディングモーター５の上端面に上向きの突起部５ａ、５ａが突出形成され、これらの突起部５ａ、５ａが中継基板１に穿設された孔部１ａ、１ａに挿入されて、半田付けで取付固定されるようになっている。これとともに、ローディングモータ５は中継基板１に電気的に接続されるようになっている。また、ローディングモータ５には位置決め用の突出部５ｂが中央に設けられ、中継基板１に穿設された円孔１ｂにこの突出部５ｂが挿入されて位置決めされるようになっている。
【００１７】
従って、本実施形態によれば、ローディングモーター５が中継基板１に直接取り付けられているから、従来ローディングモーター５と中継基板１とを接続していたワイヤーを抹消することができる。また、このローディングモーター５は、鉄板シャーシ７に取り付けられ、このローディングモーター５で中継基板１が保持されているから、中継基板１を取り付けていたビスを抹消することができる。更に、インナースイッチ６が中継基板１に取り付けられているから、従来インナースイッチ６と中継基板１を接続していたワイヤーを抹消することができる。しかも、従来インナースイッチ６を取り付けていた小基板とこの小基板を取り付けていたビスとを抹消することができる。このように、部品点数を削減することができ、作業工数を少なくすることができて、組み立て・取り扱いを容易に行うことができる。
【図面の簡単な説明】
【００１８】
【図１】実施形態のＤＶＤ装置の要部を示し、ローディングモーターとインナースイッチとを中継基板に取り付けた状態を示す部分平面図である。
【図２】ローディングモーターを中継基板に取り付ける状態を示す分解斜視図である。
【図３】従来のＤＶＤ装置の部分平面図である。
【図４】従来のビデオテープレコーダ用デッキの部分概略平面図である。
【図５】従来の磁気テープ装置の概略側面図である。
【符号の説明】
【００１９】
１        中継基板
１ａ      孔部
１ｂ      円孔
２        フレキシブルフラットケーブル
３        フレキシブルフラットケーブル
４        フレキシブルフラットケーブル
５        ローディングモーター
５ａ      突起部
５ｂ      突出部
６        インナースイッチ
７        鉄板シャーシ
【図１】
2006338761.tif 000003
【図３】
2006338761.tif 000004
【図２】
2006338761.tif 000005
【図４】
2006338761.tif 000006
【図５】
2006338761.tif 000007